(57)【特許請求の範囲】
【請求項１】
上部に筒状の口部を有し内部に液状薬剤が充填される容器と、
前記口部の上方に保持され吸液性素材からなる揮散部材と、
前記口部に挿通され前記揮散部材に一部が接触するとともに、一部が前記容器内の液状薬剤に接触する吸液性素材からなる吸上げ部材とを具え、
２０℃以下で選定される使用最低温度における前記揮散部材の揮散量と前記吸上げ部材の最大吸上げ量とを一致させたことを特徴とする揮散装置。
【請求項２】
上部に筒状の口部を有し内部に液状薬剤が充填される容器と、
前記口部を密栓するとともに、押圧されることにより容器内に落下して前記口部を開栓する栓部材と、
一部が前記口部の上方に位置し、一部が前記口部内に位置して前記栓部材を押圧し得る押圧部材と、
前記口部の上方に保持され吸液性素材からなる揮散部材と、
前記口部に挿通され一部が前記揮散部材に接触するとともに、一部が前記栓部材に連結される吸液性素材からなる吸上げ部材とを具え、
２０℃以下で選定される使用最低温度における前記揮散部材の揮散量と前記吸上げ部材の最大吸上げ量とを一致させたことを特徴とする揮散装置。
【請求項３】
上部に筒状の口部を有し内部に液状薬剤が充填される容器と、
前記口部を密栓するとともに、押圧されることにより容器内に落下して前記口部を開栓する栓部材と、
一部が前記口部の上方に位置し、一部が前記口部内に位置して前記栓部材を押圧し得る押圧部材と、
前記口部の上方に保持され吸液性素材からなる揮散部材と、
前記口部に挿通され一部が前記揮散部材に接触するとともに、一部が栓部材の開栓の際に自重で液状薬剤に浸るように構成され吸液性素材からなる吸上げ部材とを具え、
２０℃以下で選定される使用最低温度における前記揮散部材の揮散量と前記吸上げ部材の最大吸上げ量とを一致させたことを特徴とする揮散装置。
【請求項４】
上部に筒状の口部を有し内部に液状薬剤が充填される容器と、
前記口部を密栓するとともに、押圧されることにより容器内に落下して前記口部を開栓する栓部材と、
該栓部材の上部に載置される重りと、
一部が前記口部の上方に位置し、一部が前記口部内に位置して前記栓部材を押圧し得る押圧部材と、
前記口部の上方に保持され吸液性素材からなる揮散部材と、
前記口部に挿通され一部が前記重りに連結されるとともに、一部が前記揮散部材に接触する吸液性素材からなる吸上げ部材とを具え、
２０℃以下で選定される使用最低温度における前記揮散部材の揮散量と前記吸上げ部材の最大吸上げ量とを一致させたことを特徴とする揮散装置。
【請求項５】
上部に筒状の口部を有し内部に液状薬剤が充填される容器と、
前記口部に装着されるとともに、容器内外を連通する筒状の連通孔を有する蓋部材と、
前記連通孔を密栓するとともに、押圧されることにより容器内に落下して前記連通孔を開栓する栓部材と、
一部が前記口部の上方に位置し、一部が前記口部内に位置して前記栓部材を押圧し得る押圧部材と、
前記口部の上方に保持され吸液性素材からなる揮散部材と、
前記連通孔に挿通され一部が前記揮散部材に接触するとともに、一部が前記栓部材に連結される吸液性素材からなる吸上げ部材とを具え、
２０℃以下で選定される使用最低温度における前記揮散部材の揮散量と前記吸上げ部材の最大吸上げ量とを一致させたことを特徴とする揮散装置。
【請求項６】
上部に筒状の口部を有し内部に液状薬剤が充填される容器と、
前記口部に装着されるとともに、容器内外を連通する筒状の連通孔を有する蓋部材と、
前記連通孔を密栓するとともに、押圧されることにより容器内に落下して前記連通孔を開栓する栓部材と、
該栓部材の上部に載置される重りと、
一部が前記口部の上方に位置し、一部が前記口部内に位置して前記栓部材を押圧し得る押圧部材と、
前記口部の上方に保持され吸液性素材からなる揮散部材と、
前記連通孔に挿通され一部が前記揮散部材に接触するとともに、一部が前記重りに連結される吸液性素材からなる吸上げ部材とを具え、
２０℃以下で選定される使用最低温度における前記揮散部材の揮散量と前記吸上げ部材の最大吸上げ量とを一致させたことを特徴とする揮散装置。
【請求項７】
前記吸上げ部材に吸上げ量を調整する調整機構を設けた請求項１〜６記載の揮散装置。
【請求項８】
前記揮散部材を前記押圧部材に装着した請求項２〜７記載の揮散装置。
【請求項９】
前記栓部材は吸液性素材からなる請求項２〜８記載の揮散装置。
【請求項１０】
前記重りは吸液性素材からなる請求項４又は６記載の揮散装置。
【請求項１１】
前記栓部材の上方に密閉された空間を形成し、該空間内に薬剤を収納した請求項２〜１０記載の記載装置。
【発明の詳細な説明】
【０００１】
【発明の属する技術分野】
この発明は芳香剤、消臭剤、防虫剤等の液状薬剤中に含まれる薬効成分を揮散させるための揮散装置に関し、特に、温度変化に影響されることなく常に一定の揮散量が得られる揮散装置に関するものである。
【０００２】
【従来技術およびその問題点】
従来、芳香剤、消臭剤、防虫剤等の液状薬剤中に含まれる薬効成分を揮散させるための揮散装置として種々のタイプのものが提案されており、例えば、内部に液状薬剤が充填される容器と、容器の口部に挿着される吸液性素材からなる吸上げ部材と、容器の口部に装着されるとともに、一部に吸上げ部材が接触する吸液性素材からなる揮散部材とを具えた揮散装置等が既に知られている。
【０００３】
そして、このような構成の揮散装置を室内、車内等の所定の位置に設置することで、液状薬剤中に含まれる薬効成分が室内、車内等に揮散され、薬効成分による芳香、消臭、防虫等の効能が得られるものである。
【０００４】
しかしながら、上記のような構成の揮散装置にあっては、温度によって揮散量が大きく変化するため、温度変化に影響されることなく常に一定の揮散量を得ることができない。このため、例えば、２０℃程度の温度ではちょうど良い薬効（芳香、消臭、防虫等）の強さが得られても、それよりも低い温度では薬効が弱すぎたり、それよりも高い温度では薬効が強すぎたりする等の問題が生じる。因みに、水性の液状薬剤の場合には、４０℃における揮散量は２０℃における揮散量の約５倍となり、油性の液状薬剤の場合には、４０℃における揮散量は２０℃における揮散量の約１０倍となる。
【０００５】
一方、上記のような問題を解決するため、揮散部にスリットを設けて、スリットの開閉度を調節することによって揮散量を調節するようにした揮散装置が提案されている。しかし、このような揮散装置であっても、温度変化による揮散量の変化を完全になくすことはできず、温度変化に影響されることなく一定の薬効の強さを得ることができない。また、スリットを設けることによって部品点数が多くなるため、コスト高となる。さらに、温度変化に応じてスリットの開閉度を調節する煩わしい作業が必要となる。
【０００６】
この発明は前記のような従来のもののもつ問題点を解決したものであって、温度変化に影響されることなく常に一定の揮散量が得られる揮散装置を提供することを目的とするものである。また、部品点数を少なくすることによって安価なものを提供することを目的とするものである。さらに、スリットの開閉度の調節等の繁雑な作業が一切不要なものを提供することを目的とするものである。
【０００７】
【問題点を解決するための手段】
上記の問題点を解決するためにこの発明は、上部に筒状の口部を有し内部に液状薬剤が充填される容器と、前記口部の上方に保持され吸液性素材からなる揮散部材と、前記口部に挿通され前記揮散部材に一部が接触するとともに、一部が前記容器内の液状薬剤に接触する吸液性素材からなる吸上げ部材とを具え、２０℃以下で選定される使用最低温度における前記揮散部材の揮散量と前記吸上げ部材の最大吸上げ量とを一致させた手段を採用したものである。また、上部に筒状の口部を有し内部に液状薬剤が充填される容器と、前記口部を密栓するとともに、押圧されることにより容器内に落下して前記口部を開栓する栓部材と、一部が前記口部の上方に位置し、一部が前記口部内に位置して前記栓部材を押圧し得る押圧部材と、前記口部の上方に保持され吸液性素材からなる揮散部材と、前記口部に挿通され一部が前記揮散部材に接触するとともに、一部が前記栓部材に連結される吸液性素材からなる吸上げ部材とを具え、２０℃以下で選定される使用最低温度における前記揮散部材の揮散量と前記吸上げ部材の最大吸上げ量とを一致させた手段を採用したものである。さらに、上部に筒状の口部を有し内部に液状薬剤が充填される容器と、前記口部を密栓するとともに、押圧されることにより容器内に落下して前記口部を開栓する栓部材と、一部が前記口部の上方に位置し、一部が前記口部内に位置して前記栓部材を押圧し得る押圧部材と、前記口部の上方に保持され吸液性素材からなる揮散部材と、前記口部に挿通され一部が前記揮散部材に接触するとともに、一部が栓部材の開栓の際に自重で液状薬剤に浸るように構成され吸液性素材からなる吸上げ部材とを具え、２０℃以下で選定される使用最低温度における前記揮散部材の揮散量と前記吸上げ部材の最大吸上げ量とを一致させた手段を採用したものである。
さらに、上部に筒状の口部を有し内部に液状薬剤が充填される容器と、前記口部を密栓するとともに、押圧されることにより容器内に落下して前記口部を開栓する栓部材と、該栓部材の上部に載置される重りと、一部が前記口部の上方に位置し、一部が前記口部内に位置して前記栓部材を押圧し得る押圧部材と、前記口部の上方に保持され吸液性素材からなる揮散部材と、前記口部に挿通され一部が前記重りに連結されるとともに、一部が前記揮散部材に接触する吸液性素材からなる吸上げ部材とを具え、２０℃以下で選定される使用最低温度における前記揮散部材の揮散量と前記吸上げ部材の最大吸上げ量とを一致させた手段を採用したものである。さらに、上部に筒状の口部を有し内部に液状薬剤が充填される容器と、前記口部に装着されるとともに、容器内外を連通する筒状の連通孔を有する蓋部材と、前記連通孔を密栓するとともに、押圧されることにより容器内に落下して前記連通孔を開栓する栓部材と、一部が前記口部の上方に位置し、一部が前記口部内に位置して前記栓部材を押圧し得る押圧部材と、前記口部の上方に保持され吸液性素材からなる揮散部材と、前記連通孔に挿通され一部が前記揮散部材に接触するとともに、一部が前記栓部材に連結される吸液性素材からなる吸上げ部材とを具え、２０℃以下で選定される使用最低温度における前記揮散部材の揮散量と前記吸上げ部材の最大吸上げ量とを一致させた手段を採用したものである。さらに、上部に筒状の口部を有し内部に液状薬剤が充填される容器と、前記口部に装着されるとともに、容器内外を連通する筒状の連通孔を有する蓋部材と、前記連通孔を密栓するとともに、押圧されることにより容器内に落下して前記連通孔を開栓する栓部材と、該栓部材の上部に載置される重りと、一部が前記口部の上方に位置し、一部が前記口部内に位置して前記栓部材を押圧し得る押圧部材と、前記口部の上方に保持され吸液性素材からなる揮散部材と、前記連通孔に挿通され一部が前記揮散部材に接触するとともに、一部が前記重りに連結される吸液性素材からなる吸上げ部材とを具え、２０℃以下で選定される使用最低温度における前記揮散部材の揮散量と前記吸上げ部材の最大吸上げ量とを一致させた手段を採用したものである。さらに、前記吸上げ部材に吸上げ量を調整する調整機構を設けた手段を採用したものである。さらに、前記揮散部材を前記押圧部材に装着した手段を採用したものである。さらに、前記栓部材は吸液性素材からなる手段を採用したものである。さらに、前記重りは吸液性素材からなる手段を採用したものである。さらに、前記栓部材の上方に密閉された空間を形成し、該空間内に薬剤を収納した手段を採用したものである。
【０００８】
【作用】
この発明は前記のような手段を採用して、使用最低温度における揮散部材の揮散量と吸上げ部材の最大吸上げ量とを一致させたことにより、例えば、周囲温度が上昇して揮散部材の単位面積当りの揮散量が増大しても、吸上げ部材の吸上げ量がほぼ一定であるので、揮散部材全体としての揮散量が増大することはない。したがって、周囲の温度変化に影響されることなく一定の揮散量が得られることになる。
【０００９】
【発明の実施の形態】
温度変化によって揮散部材の揮散量が大きく変化するのは、揮散部材の揮散量が温度変化に対して大きく変化するのに対し、吸上げ部材の吸上げ量は温度変化に対しての変化が少ないからである。そこで、本願発明者らは、使用最低温度における揮散部材の揮散量と吸上げ部材の吸上げ量を一致させれば上記の問題を解決できるのではないかと考えた。
温度変化によって揮散部材の揮散量は大きく変化する。揮散部材は揮散面積が大きいほど揮散量は大きくなり、同一面積であれば温度上昇により揮散量が増大する。しかし、吸上げ部材の吸上げ量は温度変化に対して変化量が少ないため、吸上げ部材の吸い上げる量を規定し、その分だけ揮散させるようにすれば揮散量が一定になるのではないかと考えた。そこで、吸上げ部材の吸上げ量を確認すべく、広い面積の揮散紙を用い吸上げ部材を揮散紙に接触させてみたところ、揮散紙上での薬剤の広がりはある程度の広さから拡がっていかないという現象がみられた。さらに、温度上昇させるに伴い、揮散紙上での薬剤の広がりは減少していくが、揮散量はほとんど変わらないことを発見した。このことは、温度上昇に伴い、揮散紙の単位面積当りの揮散量は増大するが、揮散面積が小さくなることにより全体として揮散量はほぼ同一になるものと考えられる。
【００１０】
揮散部材の揮散量と吸上げ部材の吸上げ量とを一致させるには、まず、揮散部材の素材を決定する。揮散部材は、素材、厚み等によって揮散量が異なる。したがって、使用する素材によって必要な揮散面積は異なる。揮散部材の素材としては、紙、織布、不織布、スポンジ等の中から選択することができる。揮散部材は、液体を吸収し得る素材であれば特に限定されず、紙、織布、不織布、スポンジ、素焼き等の従来公知の揮散部材から適宜選択できる。
【００１１】
次に、使用最低温度で必要揮散量が得られる揮散部材の必要揮散面積を決定する。揮散部材の必要揮散面積は、空間に薬剤を付与して程よい薬効の強さが得られる大きさとする。例えば、芳香剤であれば、使用最低温度で程よい香りの強さが得られる大きさとする。
【００１２】
次に、選択した揮散部材に対する吸上げ部材の吸上げ量を決定する。具体的には、揮散部材に吸上げ部材を取り付け、最低使用温度における揮散部材上の液状薬剤の広がりが揮散部材の揮散面積と同じになるように吸上げ部材を選択する。
【００１３】
吸上げ部材は、素材、形状等により吸上げ量が異なる。吸上げ部材の素材としては、パルプ、ポリエチレン、ポリプロピレン等の合成樹脂等から吸上げ量に合わせて適宜選択する。吸上げ部材の形状としては、繊維状、紐状、糸状、網目状繊維を用いた織布、不織布、紙等の中から適宜選択する。このようにして、使用最低温度における揮散部材の揮散量と吸上げ部材の吸上げ量とを一致させることができる。吸上げ部材は、毛管現象により容器本体内の液体を揮散部材まで導くものであれば特に限定されるものではなく、紙、織布、不織布、合成繊維の束など従来公知の吸上げ部材を適宜選択できる。また、繊維の密度や紐の編み方等によっても吸上げ量を調整することができる。
【００１４】
吸上げ部材に吸上げ量を調整する調整機構（図３参照）を設けることによっても、使用最低温度における揮散部材の揮散量と吸上げ部材の吸上げ量とを一致させることができる。具体的には、吸上げ部材を、「ねじ、クリップ等で挟み込む（図４参照）」、「熱で潰す」、「撥水剤（撥油剤）で処理する」、「吸上げ部材に結び目を作る」等が考えられる。揮散部にスリットを設けて、スリットの開閉度により揮散量を調節する機構を併用してもよい。
【００１５】
以下、この発明の実施の形態について説明する。
図１及び図２には、この発明による揮散装置の第１の実施の形態が示されている。この揮散装置は、内部に芳香剤、消臭剤等の液状薬剤１０が充填される容器１と、容器１の口部２に挿着される栓部材３と、栓部材３の上部に載置される重り４と、容器１の口部２に装着されるとともに、栓部材３を容器１の内部方向に押圧し得る押圧部材５と、押圧部材５に装着される揮散部材８と、揮散部材８と重り４とを連結する吸上げ部材９とを具えている。
【００１６】
容器１は、合成樹脂、ガラス等から形成されるものであって、球形状、半球形状、円錐形状、角錐形状等に形成されるものである。容器１の上部には筒状の口部２が形成され、この口部２を介して容器１内に芳香剤、消臭剤等の液状薬剤１０が充填されるようになっている。
【００１７】
容器１の口部２の内側の部分には円板状の栓部材３が挿着され、この栓部材３によって口部２が密栓されるようになっている。栓部材３は、ゴム、合成樹脂、金属、それらを組合せたもの、吸液性素材等から形成されるものであって、開栓時に容器１内に落下するようになっている。
【００１８】
押圧部材５は、容器１の口部２の内側に挿着される筒状の押圧部６と、押圧部６の上端に一体に設けられる揮散部材８を保持するための保持部７とから構成されている。押圧部６は、口部２の全長と同じ長さ又は全長よりもやや長い長さに形成され、下端が栓部材３の上面に接触する位置まで挿入されるようになっている。保持部７は揮散部材８の形状に応じた形状に形成されるものであって、上面側に揮散部材８が装着されるようになっている。
【００１９】
揮散部材８は、紙、織布、不織布、スポンジ、吸液性素材等から形成されるものであって、円形、半円形、三角形、四角形、六角形等の適宜の形状に形成されるものである。
【００２０】
重り４は、ガラス、合成樹脂、ゴム、金属、それらの組合せ、吸水性素材等から形成されるものであって、球状、半球状、円柱状、角柱状、三角錐、四角錐等の適宜の形状に形成されるものである。
【００２１】
吸上げ部材９は、パルプ、ポリエチレン、ポリプロピレン等の合成樹脂、吸液性素材等から形成されるものであって、糸状、繊維状、紐状、網目状繊維を用いた織布、不織布、紙等の形状に形成されるものである。吸上げ部材９の一端は接着剤等によって揮散部材８に連結されるとともに、他端は接着剤等によって重り４に連結されるようになっている。
【００２２】
この場合、前述したように、使用最低温度における吸上げ部材９の最大吸上げ量と揮散部材８の揮散量とが一致するように、揮散部材８の揮散面積を設定する。
【００２３】
そして、上記のように構成したこの実施の形態による揮散装置を室内、車内等の所定の位置に設置し、押圧部材５を押圧すると、押圧部６によって栓部材３が下方に押圧されて容器１内に落下して容器１の口部２が開栓され、このとき重り４も一緒に落下して液状薬剤１０中に浸され、重り４に連結している吸上げ部材９を介して液状薬剤１０が揮散部材８に吸上げられ、揮散部材８において液状薬剤１０中の薬効成分が空気中に揮散することになる。
【００２４】
上記のように構成したこの実施の形態による揮散装置にあっては、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはない。
【００２５】
すなわち、吸上げ部材９の吸上げ量は温度変化に影響されることなくほぼ一定であるので、周囲の温度上昇によって揮散部材８の単位面積当りの揮散量が増大しても、揮散部材８全体としての揮散面積は減少することになり、揮散部材８全体としての揮散量が増大することはない。
【００２６】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業を一切必要とすることはなく、一定の揮散量が得られることになる。
【００２７】
なお、使用最低温度における吸上げ部材９の最大吸上げ量と揮散部材８の揮散量とを一致させる場合、図３に示すように、吸上げ部材９に吸上げ量を調整する調整機構２０を装着してもよいものである。
【００２８】
調整機構２０は、中心部を吸上げ部材９が挿通する筒状の本体部２１と、本体部２１に螺着されるねじ部２２とで構成したものである。そして、ねじ部２２の先端と本体部２１の内面との間で吸上げ部材９を締め付けることによって吸上げ部材９の吸上げ量を調整することができるものである。なお、調整機構２０として、前述したように、「吸上げ部材９をクリップで締め付ける（図４参照）」、「吸上げ部材９を熱で潰す」、「吸上げ部材９を撥水剤（撥油剤）で処理する」、「吸上げ部材９に結び目を作る」等も考えられる。なお、揮散部にスリットを設けて、スリットの開閉度により揮散量を調節する機構を併用してもよいものである。
【００２９】
図５及び図６には、この発明による揮散装置の第２の実施の形態が示されている。この揮散装置は、栓部材３と押圧部材５との間に形成される空間内に、薬剤１５を収納したものであって、その他の構成は前記第１の実施の形態に示すものと同様である。
【００３０】
薬剤１５としては、液状の防虫剤、消臭剤、芳香剤等の薬剤をセルロースビーズ、シリカゲル等に含浸したものを用いることができる。
【００３１】
そして、この実施の形態に示すものにあっても、前記第１の実施の形態に示すものと同様に、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはなく、一定の揮散量が得られることになる。
【００３２】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業が不要となる。
【００３３】
なお、この実施の形態においても、使用最低温度における吸上げ部材９の最大吸上げ量と揮散部材８の揮散量とを一致させる場合に、図３又は図４に示すような構成の調整機構２０を使用してもよいものである。また、この実施の形態においては、栓部材３を開栓したときに、空間内に収納されている薬剤１５も液状薬剤中に落下することになるので、落下した薬剤１５は含浸されている薬剤が徐々に液状薬剤１０中に染み出し、染み出した薬剤は液状薬剤１０と一緒に吸上げ部材９を介して揮散部材８に導かれ、揮散部材８において薬効成分が空気中に揮散することになるものである。
【００３４】
図７及び図８には、この発明による揮散装置の第３の実施の形態が示されている。この揮散装置は、重りを使用せずに栓部材３に直接に吸上げ部材９を連結するようにしたものであって、その他の構成は前記第１の実施の形態に示すものと同様である。
【００３５】
そして、この実施の形態に示すものにあっても前記第１の実施の形態に示すものと同様に、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはなく、一定の揮散量が得られることになる。
【００３６】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業が不要となる。
【００３７】
なお、この実施の形態においても、使用最低温度における吸上げ部材９の最大吸上げ量と揮散部材８の揮散量とを一致させる場合に、図３又は図４に示すような構成の調整機構２０を使用してもよいものである。また、この実施の形態においても、第２の実施の形態に示すものと同様に、栓部材３の上部に形成される空間内に薬剤を収納しておくことにより、栓部材３の開栓の際に第２の実施の形態に示すものと同様の効果が得られるものである。
【００３８】
図９及び図１０には、この発明による揮散装置の第４の実施の形態が示されている。この揮散装置は、重りを使用せずに栓部材３に吸上げ部材９を接触させて、栓部材３の開栓の際に吸上げ部材９の下端部が自重で液状薬剤１０中に浸るように構成したものであって、その他の構成は前記第１の実施の形態に示すものと同様である。
【００３９】
そして、この実施の形態に示すものにあっても前記第１の実施の形態に示すものと同様に、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはなく、一定の揮散量が得られることになる。
【００４０】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業が不要となる。
【００４１】
なお、この実施の形態においても、使用最低温度における吸上げ部材９の最大吸上げ量と揮散部材８の揮散量とを一致させる場合に、図３又は図４に示すような構成の調整機構２０を使用してもよいものである。また、この実施の形態においても、第２の実施の形態に示すものと同様に、栓部材３の上部に形成される空間内に薬剤を収納しておくことにより、栓部材３の開栓の際に第２の実施の形態に示すものと同様の効果が得られるものである。
【００４２】
図１１及び図１２には、この発明による揮散装置の第５の実施の形態が示されている。この揮散装置は、金属製のバネの周囲に吸液性素材を巻回させたものを吸上げ部材９としたものであって、その他の構成は前記第１の実施の形態に示すものと同様である。
【００４３】
そして、この実施の形態に示すものにあっても前記第１の実施の形態に示すものと同様に、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはなく、一定の揮散量が得られることになる。
【００４４】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業が不要となる。
【００４５】
なお、この実施の形態においても、使用最低温度における吸上げ部材９の最大吸上げ量と揮散部材８の揮散量とを一致させる場合に、図３又は図４に示すような構成の調整機構２０を使用してもよいものである。また、この実施の形態においても、第２の実施の形態に示すものと同様に、栓部材３の上部に形成される空間内に薬剤を収納しておくことにより、栓部材３の開栓の際に第２の実施の形態に示すものと同様の効果が得られるものである。
【００４６】
図１３及び図１４には、この発明による揮散装置の第６の実施の形態が示されている。この薬剤揮散装置は、シート状のものを折り畳んで蛇腹状に形成したものを吸上げ部材９としたものであって、その他の構成は前記第１の実施の形態に示すものと同様である。
【００４７】
そして、この実施の形態に示すものにあっても前記第１の実施の形態に示すものと同様に、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはなく、一定の揮散量が得られることになる。
【００４８】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業が不要となる。
【００４９】
なお、この実施の形態においても、使用最低温度における吸上げ部材９の最大吸上げ量と揮散部材８の揮散量とを一致させる場合に、図３又は図４に示すような構成の調整機構２０を使用してもよいものである。また、この実施の形態においても、第２の実施の形態に示すものと同様に、栓部材３の上部に形成される空間内に薬剤を収納しておくことにより、栓部材３の開栓の際に第２の実施の形態に示すものと同様の効果が得られるものである。
【００５０】
図１５及び図１６には、この発明による揮散装置の第７の実施の形態が示されている。この揮散装置は、押圧部材５の押圧部６と保持部７とを別体に形成したものであって、その他の構成は前記第１の実施の形態に示すものと同様である。
【００５１】
この場合、押圧部６の上端には押圧部６が容器１内に落下するのを防止するための係止部６ａが一体に設けられている。保持部７の下面中央部には筒状の支持部７ａが一体に設けられ、この支持部７ａの内周側に容器１の口部２の外周面及び係止部６ａの外周面が相対的にスライド可能に位置するようになっている。
【００５２】
そして、押圧部材５によって栓部材３を押圧するには、保持部７を揮散部材８と一体に下方に押圧して、揮散部材８の下面側を押圧部６の係止部６ａの上面側に当接させ、この状態から保持部７、揮散部材８及び押圧部６を更に下方に押圧すればよい。
【００５３】
そして、この実施の形態に示すものにあっても前記第１の実施の形態に示すものと同様に、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはなく、一定の揮散量が得られることになる。
【００５４】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業が不要となる。
【００５５】
なお、この実施の形態においても、使用最低温度における吸上げ部材９の最大吸上げ量と揮散部材８の揮散量とを一致させる場合に、図３又は図４に示すような構成の調整機構２０を使用してもよいものである。また、この実施の形態においても、第２の実施の形態に示すものと同様に、栓部材３の上部に形成される空間内に薬剤を収納しておくことにより、栓部材３の開栓の際に第２の実施の形態に示すものと同様の効果が得られるものである。
【００５６】
図１７及び図１８には、この発明による揮散装置の第８の実施の形態が示されている。この揮散装置は、容器１の口部２にキャップ状の蓋部材１１を被嵌させるとともに、蓋部材１１の中心部の容器１内外を連通する連通孔１３内に押圧部材５の押圧部６を挿着し、連通孔１３を栓部材３で密栓し、蓋部材１１に押圧部材５の保持部７を装着したものであって、その他の構成は前記第１の実施の形態に示すものと同様である。
【００５７】
押圧部材５の保持部７には筒状の支持部７ａが一体に設けられ、この支持部７ａの内周側に蓋部材１１の外周面がスライド可能に位置するようになっている。蓋部材１１の下面中央部には下方に突出する筒状の突起１２が一体に設けられ、この突起１２の中心部に容器１内外を連通する連通孔１３が形成されるようになっている。栓部材３の上部には突起１２の下端部が嵌合し得る凹部３ａが形成され、この凹部３ａ内に突起１２の下端部を嵌合させることで、連通孔１３が密栓されるようになっている。
【００５８】
そして、押圧部材５によって栓部材３を押圧する場合には、保持部７を揮散部材８と一体に下方に押圧させて、保持部７の下面側を押圧部６の係止部６ａの上面側に当接させるとともに、この状態で保持部７、揮散部材８及び押圧部６を一体に下方に押圧すればよい。
【００５９】
そして、この実施の形態に示すものにあっても、前記第１の実施の形態に示すものと同様に、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはなく、一定の揮散量が得られることになる。
【００６０】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業が不要となる。
【００６１】
なお、この実施の形態においても、使用最低温度における吸上げ部材９の最大吸上げ量と揮散部材８の揮散量とを一致させる場合、図３又は図４に示すような構成の調整機構２０を使用してもよいものである。また、この実施の形態においても、栓部材３の上部に形成される空間内に薬剤を収納しておくことにより、第２の実施の形態に示すものと同様の効果が得られるものである。
【００６２】
図１９及び図２０には、この発明による揮散装置の第９の実施の形態が示されている。この揮散装置は、容器１の口部２に筒状の蓋部材１１を挿着するとともに、蓋部材１１の中心部の容器１内外を連通する連通孔１３内に押圧部材５の押圧部６を挿着し、蓋部材１１の容器１内に突出している下端部にキャップ状の栓部材３を装着して連通孔１３を密栓し、押圧部６の上部に押圧部材５の内面側に揮散部材８を装着した保持部７を装着したものであって、その他の構成は前記第８の実施の形態に示すものと同様である。
【００６３】
そして、この実施の形態に示すものにあっても、前記第１の実施の形態に示すものと同様に、使用最低温度における吸上げ部材９の最大吸上げ量と揮散部材８の揮散量とが一致するように、揮散部材８の揮散面積を設定しているので、周囲温度が上昇して揮散部材８の単位面積当りの揮散量が増大しても、揮散部材８全体としての揮散量が増大することはなく、一定の揮散量が得られることになる。
【００６４】
したがって、周囲の温度変化に影響されることなく、一定の薬効（芳香、消臭、防虫等）の強さが得られることになる。また、使用最低温度における吸上げ部材９の最大吸上げ量と揮散部材８の揮散量とを一致させるだけで足りるので、全体としての部品点数が増大することはなく、安価なものを提供することができることになる。さらに、従来のもののように、スリットの開閉度を調整するような繁雑な作業が不要となる。
【００６５】
なお、この実施の形態においても、使用最低温度における吸上げ部材９の最大吸上げ量と揮散部材８の揮散量とを一致させる場合、図３又は図４に示すような構成の調整機構２０を使用してもよいものである。また、この実施の形態においても、栓部材３の上部に形成される空間内に薬剤を収納しておくことにより、第２の実施の形態に示すものと同様の効果が得られるものである。
【００６６】
【発明の効果】
この発明は前記のように構成して、使用最低温度における吸上げ部材の最大吸上げ量と揮散部材の揮散量とを一致させるように、揮散部材の揮散面積を設定したことにより、周囲温度が上昇して揮散部材の単位面積当りの揮散量が増大しても、揮散部材全体としての揮散量が増大することはなく、一定の揮散量が得られることになる。したがって、周囲の温度変化に影響されることなく、常に一定の薬効（芳香、消臭、防虫等）の強さが得られることになる。また、吸上げ部材の吸上げ量を調整機構によって調整できるようにしたことにより、吸上げ部材の吸上げ量を調整することによっても、使用最低温度における揮散部材の揮散面積と吸上げ部材の最大吸上げ量とを一致させることができる。したがって、この場合にも、周囲の温度変化に影響されることなく、常に一定の薬効（芳香、消臭、防虫等）の強さが得られることになる。
【図面の簡単な説明】
【図１】この発明による揮散装置の第１の実施の形態を示した概略断面図であり、使用開始前の状態を示した概略断面図である。
【図２】図１に示すものの使用開始後の状態を示した概略断面図である。
【図３】図１に示すものの変形例を示した部分拡大断面図である。
【図４】図１に示すものの他の変形例を示した部分拡大断面図である。
【図５】この発明による揮散装置の第２の実施の形態を示した概略断面図であり、使用開始前の状態を示した概略断面図である。
【図６】図５に示すものの使用開始後の状態を示した概略断面図である。
【図７】この発明による揮散装置の第３の実施の形態を示した概略断面図であり、使用開始前の状態を示した概略断面図である。
【図８】図７に示すものの使用開始後の状態を示した概略断面図である。
【図９】この発明による揮散装置の第４の実施の形態を示した概略断面図であり、使用開始前の状態を示した概略断面図である。
【図１０】図９に示すものの使用開始後の状態を示した概略断面図である。
【図１１】この発明による揮散装置の第５の実施の形態を示した概略断面図であり、使用開始前の状態を示した概略断面図である。
【図１２】図１１に示すものの使用開始後の状態を示した概略断面図である。
【図１３】この発明による揮散装置の第６の実施の形態を示した概略断面図であり、使用開始前の状態を示した概略断面図である。
【図１４】図１３に示すものの使用開始後の状態を示した概略断面図である。
【図１５】この発明による揮散装置の第７の実施の形態を示した概略断面図であり、使用開始前の状態を示した概略断面図である。
【図１６】図１５に示すものの使用開始後の状態を示した概略断面図である。
【図１７】この発明による揮散装置の第８の実施の形態を示した概略断面図であり、使用開始前の状態を示した概略断面図である。
【図１８】図１７に示すものの使用開始後の状態を示した概略断面図である。
【図１９】この発明による揮散装置の第９の実施の形態を示した概略断面図であり、使用開始前の状態を示した概略断面図である。
【図２０】図１９に示すものの使用開始後の状態を示した概略断面図である。
【符号の説明】
１……容器
２……口部
３……栓部材
３ａ……凹部
４……重り
５……押圧部材
６……押圧部
６ａ……係止部
７……保持部
７ａ……支持部
８……揮散部材
９……吸上げ部材
１０……液状薬剤
１１……蓋部材
１２……突起
１３……連通孔
１５……薬剤
２０……調整機構
２１……本体部
２２……ねじ部
【図１】
0004252119.tif 000002
【図２】
0004252119.tif 000003
【図３】
0004252119.tif 000004
【図４】
0004252119.tif 000005
【図５】
0004252119.tif 000006
【図６】
0004252119.tif 000007
【図７】
0004252119.tif 000008
【図８】
0004252119.tif 000009
【図９】
0004252119.tif 000010
【図１０】
0004252119.tif 000011
【図１１】
0004252119.tif 000012
【図１２】
0004252119.tif 000013
【図１３】
0004252119.tif 000014
【図１４】
0004252119.tif 000015
【図１５】
0004252119.tif 000016
【図１６】
0004252119.tif 000017
【図１７】
0004252119.tif 000018
【図１８】
0004252119.tif 000019
【図１９】
0004252119.tif 000020
【図２０】
0004252119.tif 000021